(57)【要約】      （修正有）【課題】挿着コンポーネントの空洞が完全に充填されることを保証し、防水効果を高めるコネクターを提供する。【解決手段】挿着コンポーネント１と、絶縁本体２と、防水ゴムブロック３とを備え、挿着コンポーネントの後部に空洞が設けられ、挿着コンポーネントには複数の導電端子１２が含まれ、導電端子は部分的に空洞に露出し、絶縁本体の前部に挿着溝が設けられ、挿着コンポーネントの前部は挿着溝内に位置し、絶縁本体の後部は挿着コンポーネントの外側を覆い、絶縁本体の両側に防水口が設けられ、空洞内に防水ゴムブロックが射出充填され、防水口内の少なくとも一部に防水ブロックが射出充填されている。【選択図】図１
0003227166.tif 000002
【実用新案登録請求の範囲】
【請求項１】
後部に空洞（１１）が設けられ、複数の導電端子（１２）を備え、前記導電端子（１２）が部分的に前記空洞（１１）に露出する挿着コンポーネント（１）と、
前部に挿着溝が設けられ、前記挿着コンポーネント（１）の前部が前記挿着溝内に位置し、後部が前記挿着コンポーネント（１）の外側を覆い、両側に防水口（２１）が設けられている絶縁本体（２）と、
前記空洞（１１）内に射出充填され、前記防水口（２１）内の少なくとも一部に射出充填されている防水ゴムブロック（３）と、を備える、
ことを特徴とするコネクター。
【請求項２】
前記導電端子（１２）は、第１導電端子組と第２導電端子組との２組に分けられ、前記第１導電端子組及び前記第２導電端子組における複数の導電端子（１２）は、並列にして間隔をあけて配置されており、
前記挿着コンポーネント（１）は、互いに貼り合う第１端子コンポーネント（１３）と、第２端子コンポーネント（１４）とをさらに備え、前記第１端子コンポーネント（１３）は、第１絶縁ブロック（１３１）と、第２絶縁ブロック（１３２）とを備え、前記第１絶縁ブロック（１３１）は、前記第１導電端子組の前部に成形し、前記第１導電端子組の導電端子（１２）の前部の少なくとも一方側が前記第１絶縁ブロック（１３１）の外側に露出するように構成され、前記第２絶縁ブロック（１３２）は、前記第１導電端子組の尾部に成形され、前記第１絶縁ブロック（１３１）及び前記第２絶縁ブロック（１３２）は、間隔をあけて配置されている、
ことを特徴とする請求項１に記載のコネクター。
【請求項３】
前記第２端子コンポーネント（１４）は、第３絶縁ブロック（１４１）と、第４絶縁ブロック（１４２）とを備え、前記第３絶縁ブロック（１４１）は、前記第２導電端子組の前部に成形し、前記第２導電端子組の導電端子（１２）の前部の少なくとも一方側が前記第３絶縁ブロック（１４１）の外側に露出するように構成され、前記第４絶縁ブロック（１４２）は、前記第２導電端子組の尾部に成形され、前記第３絶縁ブロック（１４１）及び前記第４絶縁ブロック（１４２）は間隔をあけて配置されており、
前記第１絶縁ブロック（１３１）と前記第２絶縁ブロック（１３２）との間の隙間及び前記第３絶縁ブロック（１４１）と前記第４絶縁ブロック（１４２）との間の隙間は、前記空洞（１１）を形成する、
ことを特徴とする請求項２に記載のコネクター。
【請求項４】
前記挿着コンポーネント（１）は、金属仕切りシート（１５）と、金属リング（１６）とをさらに備え、前記金属仕切りシート（１５）は、前記第１端子コンポーネント（１３）と前記第２端子コンポーネント（１４）との間に配置され、前記金属リング（１６）は、前記第１絶縁ブロック（１３１）及び前記第３絶縁ブロック（１４１）の後部の外側を覆う、
ことを特徴とする請求項３に記載のコネクター。
【請求項５】
前記挿着コンポーネント（１）は、第１接続ブロック（１７）と、第２接続ブロック（１８）とをさらに備え、前記第１接続ブロック（１７）は、前記第１絶縁ブロック（１３１）及び前記第３絶縁ブロック（１４１）の外側を覆い、前記金属仕切りシート（１５）の前部の両側は、前記第１接続ブロック（１７）の外側に露出するように構成され、前記金属リング（１６）の外面は前記第１接続ブロック（１７）の外側に露出するように構成され、
前記第２接続ブロック（１８）は、前記第２絶縁ブロック（１３２）と前記第４絶縁ブロック（１４２）とを接続する、
ことを特徴とする請求項４に記載のコネクター。
【請求項６】
前記挿着コンポーネント（１）の後端の左右両側には、それぞれ接続孔（１４２２）が設けられ、前記接続孔（１４２２）は、前記第２絶縁ブロック（１３２）と前記第４絶縁ブロック（１４２）とを貫通するように構成され、前記第２接続ブロック（１８）は２つの接続ピラー（１８２）と、第１接続部（１８３）と、第２接続部（１８４）とを備え、２つの前記接続ピラー（１８２）は、２つの前記接続孔（１４２２）内にそれぞれ成形され、前記第１接続部（１８３）は、前記第２絶縁ブロック（１３２）の外側に位置し、前記第１接続部（１８３）の両端はそれぞれ２つの前記接続ピラー（１８２）に接続され、前記第２接続部（１８４）は、前記第４絶縁ブロック（１４２）の外側に位置し、前記第２接続部（１８４）の両端はそれぞれ２つの前記接続ピラー（１８２）に接続されている、
ことを特徴とする請求項５に記載のコネクター。
【請求項７】
前記挿着コンポーネント（１）の外側に嵌設され、前記空洞（１１）の先端に位置する金属挿着カバー（４）をさらに備え、
前記挿着コンポーネント（１）の前部は前記金属挿着カバー（４）の外側に露出し、前記絶縁本体（２）は、前記金属挿着カバー（４）の外側を覆い、対向側のコネクターは前記金属挿着カバー（４）内に挿入可能である、
ことを特徴とする請求項１に記載のコネクター。
【請求項８】
一方の部分が前記挿着コンポーネント（１）の後部の一方側を覆い、他方の部分が前記挿着コンポーネント（１）の後端部を覆い、且つ、その部分が前記絶縁本体（２）の外側に露出するシールドケース（５）をさらに備える、
ことを特徴とする請求項１に記載のコネクター。
【請求項９】
前記挿着コンポーネント（１）の前記シールドケース（５）から遠い側を覆い、前記絶縁本体（２）内に位置する金属部品（６）をさらに備え、
前記金属部品（６）の両端には、前記絶縁本体（２）の外側に露出する第１接続耳（６１）が設けられている、
ことを特徴とする請求項８に記載のコネクター。
【請求項１０】
防水リング（７）をさらに備え、
前記絶縁本体（２）の前部の外面には、収容スロット（２２）が設けられ、前記防水リング（７）は前記収容スロット（２２）内に嵌設されている、
ことを特徴とする請求項１に記載のコネクター。
【考案の詳細な説明】
【技術分野】
【０００１】
本考案は、コネクター技術分野に関し、特に、コネクターに関する。
【背景技術】
【０００２】
電子科学技術の発展に伴い、Ｔｙｐｅ−Ｃコネクターは広く使用されるようになった。従来のＴｙｐｅ−Ｃコネクターは組み立てた後、絶縁本体の一方側に凹溝が設けられ、この凹溝でコネクター内部に射出成形し、防水ゴムを充填することで、コネクターに防水効果をもたらす。
【考案の概要】
【考案が解決しようとする課題】
【０００３】
しかし、従来のコネクターでは、開口した一方側の空間の一部に、防水ゴムが充填されておらず、コネクターが規定の防水要求を満たさない可能性がある。
そのため、上記技術的な問題を解決するためのコネクターは急ぎで必要である。
【０００４】
本考案は、防水効果を高めたコネクターを提供することを目的とする。
【課題を解決するための手段】
【０００５】
そのため、本考案は、以下の技術案を採用する。
【０００６】
後部に空洞が設けられ、複数の導電端子を備え、前記導電端子が部分的に前記空洞に露出する挿着コンポーネントと、
前部に挿着溝が設けられ、前記挿着コンポーネントの前部が前記挿着溝内に位置し、後部が前記挿着コンポーネントの外側を覆い、両側に防水口が設けられている絶縁本体と、
前記空洞内に射出充填され、前記防水口内の少なくとも一部に射出充填されている防水ゴムブロックと、を備える、コネクターを提供する。
【０００７】
好ましくは、前記導電端子は、第１導電端子組と第２導電端子組との２組に分けられ、前記第１導電端子組及び前記第２導電端子組における複数の導電端子は、並列にして間隔をあけて配置されており、
前記挿着コンポーネントは、互いに貼り合う第１端子コンポーネントと、第２端子コンポーネントとをさらに備え、前記第１端子コンポーネントは、第１絶縁ブロックと、第２絶縁ブロックとを備え、前記第１絶縁ブロックは、前記第１導電端子組の前部に成形し、前記第１導電端子組の導電端子の前部の少なくとも一方側が前記第１絶縁ブロックの外側に露出するように構成され、前記第２絶縁ブロックは、前記第１導電端子組の尾部に成形され、前記第１絶縁ブロック及び前記第２絶縁ブロックは、間隔をあけて配置されている。
【０００８】
好ましくは、前記第２端子コンポーネントは、第３絶縁ブロックと、第４絶縁ブロックとを備え、前記第３絶縁ブロックは、前記第２導電端子組の前部に成形し、前記第２導電端子組の導電端子の前部の少なくとも一方側が前記第３絶縁ブロックの外側に露出するように構成され、前記第４絶縁ブロックは、前記第２導電端子組の尾部に成形され、前記第３絶縁ブロック及び前記第４絶縁ブロックは間隔をあけて配置されており、
前記第１絶縁ブロックと前記第２絶縁ブロックとの間の隙間及び前記第３絶縁ブロックと前記第４絶縁ブロックとの間の隙間は、前記空洞を形成する。
【０００９】
好ましくは、前記挿着コンポーネントは、金属仕切りシートと、金属リングとをさらに備え、前記金属仕切りシートは、前記第１端子コンポーネントと前記第２端子コンポーネントとの間に配置され、前記金属リングは、前記第１絶縁ブロック及び前記第３絶縁ブロックの後部の外側を覆う。
【００１０】
好ましくは、前記挿着コンポーネントは、第１接続ブロックと、第２接続ブロックとをさらに備え、前記第１接続ブロックは、前記第１絶縁ブロック及び前記第３絶縁ブロックの外側を覆い、前記金属仕切りシートの前部の両側は、前記第１接続ブロックの外側に露出するように構成され、前記金属リングの外面は前記第１接続ブロックの外側に露出するように構成され、
前記第２接続ブロックは、前記第２絶縁ブロックと前記第４絶縁ブロックとを接続する。
【００１１】
好ましくは、前記挿着コンポーネントの後端の左右両側には、それぞれ接続孔が設けられ、前記接続孔は、前記第２絶縁ブロックと前記第４絶縁ブロックとを貫通するように構成され、前記第２接続ブロックは２つの接続ピラーと、第１接続部と、第２接続部とを備え、２つの前記接続ピラーは、２つの前記接続孔内にそれぞれ成形され、前記第１接続部は、前記第２絶縁ブロックの外側に位置し、前記第１接続部の両端はそれぞれ２つの前記接続ピラーに接続され、前記第２接続部は、前記第４絶縁ブロックの外側に位置し、前記第２接続部の両端はそれぞれ２つの前記接続ピラーに接続されている。
【００１２】
好ましくは、前記コネクターは、前記挿着コンポーネントの外側に嵌設され、前記空洞の先端に位置する金属挿着カバーをさらに備え、
前記挿着コンポーネントの前部は前記金属挿着カバーの外側に露出し、前記絶縁本体は、前記金属挿着カバーの外側を覆い、対向側のコネクターは前記金属挿着カバー内に挿入可能である。
【００１３】
好ましくは、前記コネクターは、一方の部分が前記挿着コンポーネントの後部の一方側を覆い、他方の部分が前記挿着コンポーネントの後端部を覆い、且つ、その部分が前記絶縁本体の外側に露出するシールドケースをさらに備える。
【００１４】
好ましくは、前記コネクターは、前記挿着コンポーネントの前記シールドケースから遠い側を覆い、前記絶縁本体内に位置する金属部品をさらに備え、
前記金属部品の両端には、前記絶縁本体の外側に露出する第１接続耳が設けられている。
【００１５】
好ましくは、前記コネクターは、防水リングをさらに備え、前記絶縁本体の前部の外面には、収容スロットが設けられ、前記防水リングは前記収容スロット内に嵌設されている。
【考案の効果】
【００１６】
本考案の有益である効果は以下のとおりである。
【００１７】
絶縁本体の両側には、いずれも防水口が設けられ、２つの防水口から挿着コンポーネントの空洞と絶縁本体の防水口内に防水ブロックが射出成型され、絶縁本体の両側から射出充填されることで、挿着コンポーネントの空洞が完全に充填されることを保証し、コネクターの防水能力が設計要求を満たすように、コネクターの防水効果を高める。
【図面の簡単な説明】
【００１８】
【図１】図１は本考案に係るコネクターの構造模式図１である。
【図２】図２は本考案に係るコネクターの構造模式図２である。
【図３】図３は本考案に係るコネクターの構造模式図（絶縁本体を含まない）である。
【図４】図４は本考案に係る絶縁本体の構造模式図である。
【図５】図５は本考案に係る第１端子コンポーネントの構造模式図１である。
【図６】図６は本考案に係る第１端子コンポーネントの構造模式図２である。
【図７】図７は本考案に係る第２端子コンポーネントの構造模式図１である。
【図８】図８は本考案に係る第２端子コンポーネントの構造模式図２である。
【図９】図９は本考案に係る金属仕切りシートの構造模式図である。
【図１０】図１０は本考案に係る挿着コンポーネントの部分構造模式図１である。
【図１１】図１１は本考案に係る挿着コンポーネントの部分構造模式図２である。
【図１２】図１２は本考案に係る挿着コンポーネントの構造模式図である。
【図１３】図１３は本考案に係る接続第２接続ブロックの構造模式図である。
【図１４】図１４は本考案に係るコネクターの構造模式図１（絶縁本体と防水ブロックを含まない）である。
【図１５】図１５は本考案に係るコネクターの構造模式図２（絶縁本体と防水ブロックを含まない）である。
【図１６】図１６は本考案に係るコネクターの構造模式図３（絶縁本体と防水ブロックを含まない）である。
【図１７】図１７は本考案に係る金属挿着カバーの構造模式図である。
【図１８】図１８は本考案に係るシールドケースの構造模式図である。
【考案を実施するための形態】
【００１９】
本考案の実施例の目的、技術案及び利点をより明瞭にするため、以下、本考案の実施例に用いられる図面を参照しながら、本考案の実施例における技術案を明瞭且つ完全に説明し、説明される実施例が本考案の実施例の一部に過ぎず、すべての実施例ではないことは無論である。ここで図面を用いて示した本考案の実施例における部品は、様々な配置方法で配置、設計することが可能である。
【００２０】
このため、図面に示された本考案の実施例に対する以下の詳細な説明は、保護しようとする本考案の範囲を限定するものではなく、本考案の選択された実施例を示すものに過ぎない。本考案の実施例をもとに、当業者が創造的な働きを行わずに得たすべてのその他の実施例は、いずれも本考案の保護範囲に属する。
【００２１】
なお、同様な符号とキャラクターは、図面において同様な項目を示すため、１つの図面で定義された場合、その他の図面で当該項目をさらに定義、解釈することが不要になる。
【００２２】
本考案の説明において、「上」、「下」、「左」、「右」、「鉛直」、「水平」、「内」、「外」等の用語で表された方向又は位置関係は、図面に基づくものであり、或いは本考案に係る製品の通常の配置方向又は位置関係であり、本考案を便宜及び簡略に説明するためのものに過ぎず、該当装置又は部品が、必ず定められた方向を有したり、定められた方向に構成、操作されたり、することを明示又は暗示するものではないため、本考案を限定するものではないと理解すべきである。また、「第１」、「第２」、「第３」等の用語は、区別して説明するためのものに過ぎず、相対重要性を明示又は暗示するものではないと理解すべきである。本考案の説明において、明確且つ具体的な限定がない限り、「複数」とは、二つ以上のことを意味する。
【００２３】
さらに、本考案の説明において、明確な定義と限定がない限り、「設置」、「接続」の用語は、広義的に理解すべきである。例えば、固定接続でもよいし、取外し可能な接続でもよいし、一体的な接続でもよい。そして、機械的な接続でもよいし、電気的な接続でもよい。当業者は、本考案における上記用語の具体的な意味を、具体的な状況に応じて理解することが可能である。
【００２４】
本考案において、明確な規定及び限定がない限り、第１特徴が第２特徴の「上」又は「下」にあることは、第１特徴と第２特徴とが直接的に接触することを含んでも良いし、第１特徴と第２特徴とが直接的に接触することではなく、それらの間の別の特徴を介して接触することを含んでもよい。また、第１特徴が第２特徴の「上」、「上方」又は「上面」にあることは、第１特徴が第２特徴の真上及び斜め上にあることを含むか、或いは、単に第１特徴の水平高さが第２特徴より高いことだけを表す。第１特徴が第２特徴の「下」、「下方」又は「下面」にあることは、第１特徴が第２特徴の真下及び斜め下にあることを含むか、或いは、単に第１特徴の水平高さが第２特徴より低いことだけを表す。
【００２５】
以下に、本考案の実施例を詳細に説明する。前記実施例の例示が図に示されるが、同一又は類似する符号は、常に、同一又は類似する部品、或いは、同一又は類似する機能を有する部品を表す。以下に、図面を参照しながら説明された実施例は、例示的なものであり、本考案を解釈するためだけに用いられ、本考案を限定するものと理解してはいけない。
【００２６】
図１〜図１７に示すように、本実施例は、挿着コンポーネント１と、絶縁本体２と、防水ゴムブロック３とを備えるコネクターを提供する。
【００２７】
図１〜図４に示すように、挿着コンポーネント１の後部に空洞１１が設けられ、挿着コンポーネント１は複数の導電端子１２を備え、導電端子１２は部分的に空洞１１内に露出する。絶縁本体２の前部には、挿着溝があり、挿着コンポーネント１の前部は挿着溝内にあり、絶縁本体２の後部は、挿着コンポーネント１の外側を覆い、絶縁本体２の両側に防水口２１が設けられている。空洞１１内に防水ゴムブロック３が充填され、防水口２１の少なくとも一部には、防水ゴムブロックが充填されている。好ましくは、本実施例では、防水口２１の半分には、防水ゴムブロック３が充填され。防水ゴムブロック３の材質はシリカゲルである。
【００２８】
絶縁本体２の両側には、いずれも防水口２１が設けられ、２つの防水口２１から挿着コンポーネント１の空洞１１と絶縁本体２の防水口２１内に防水ゴムブロック３が射出成型され、絶縁本体２の両側から射出充填されることで、挿着コンポーネント１の空洞１１が完全に充填されることを保証し、コネクターの防水能力が設計要求を満たすように、コネクターの防水効果を高める。
【００２９】
具体的には、導電端子１２は、第１導電端子組と第２導電端子組との２組に分けられ、第１導電端子組及び前記第２導電端子組における複数の導電端子１２は、いずれも並列にして間隔をあけて配置されている。第１導電端子組及び第２導電端子組における導電端子１２の尾部は、同一平面上に位置し、交互に配置され、電気基板との溶接接続をしやすくする。
【００３０】
図５と図６に示すように、挿着コンポーネント１は、互いに貼り合う第１端子コンポーネント１３と、第２端子コンポーネント１４とを備え、第１端子コンポーネント１３は、第１絶縁ブロック１３１と、第２絶縁ブロック１３２とを備える。第１絶縁ブロック１３１は、第１導電端子組の前部に成形され、第１導電端子組の導電端子１２の前部の少なくとも一方側が前記第１絶縁ブロック１３１の外側に露出するように構成され、好ましくは、本実施例では、第１絶縁ブロック１３１は、第１導電端子組の前部に射出成型される。第１絶縁ブロック１３１の後部は、第１導電端子組の導電端子１２を覆い、前部は部分的に導電端子１２を覆い、対向側のコネクターの信号端子に当接して該コネクターと対向コネクターを接続するように、導電端子１２の左右両側面の一部と外側面を第１絶縁ブロックの外側に露出させる。第１絶縁ブロック１３１の内側の表面には、少なくとも２つの位置決め突起１３１１が設けられ、本実施例では、２つであることが好ましい。第２絶縁ブロック１３２は、第１導電端子組の尾部に成型され（具体的には、第２絶縁ブロック１３２は、第１導電端子組の尾部に射出成型されている）、第１導電端子組の導電端子１２の尾部は、第２絶縁ブロック１３２の後部の外側に露出することで、電気基板との溶接接続をしやすくする。第１絶縁ブロック１３１と第２ブロック１３２とは間隔をあけて配置され、両者の間には第１サブ空洞が形成されている。
【００３１】
図７と図８に示すように、第２端子コンポーネント１４は、第３絶縁ブロック１４１と、第４絶縁ブロック１４２とを備える。第３絶縁ブロック１４１は、第２導電端子組の前部に成形され、第２導電端子組の導電端子１２の前部の少なくとも一方側が前記第３絶縁ブロック１４１の外側に露出するように構成され、好ましくは、第３絶縁ブロック１４１は、第２導電端子組の前部に射出成型され、第３絶縁ブロック１４１の尾部は、第２導電端子組の導電端子１２を覆い、前部は部分的に導電端子１２を覆い、対向側のコネクターの信号端子に当接して該コネクターと対向コネクターを接続するように、導電端子１２の左右両側面の一部と外側面とを第３絶縁ブロック１４１の外側に露出させる。第３絶縁ブロック１４１の内面には、位置決め突起１３１１に対応する位置決め孔１４１１が設けられ、本実施例では、位置決め孔１４１１の数は、２つである。第１端子コンポーネント１３と第２端子コンポーネント１４を組み立てる過程で、位置決め突起１３１１が位置決め孔１４１１内に挿入可能であり、第１端子コンポーネント１３と第２端子コンポーネント１４がずれないようにそれらの位置を規制する。第４絶縁ブロック１４２は、第２導電端子組の尾部に成型され（具体的には、第４絶縁ブロック１４２は、第２導電端子組の尾部に射出成型されている）、第３絶縁ブロック１４１と第４絶縁ブロック１４２とは間隔をあけて配置され、両者の間に第２サブ空洞が形成されている。第１子空洞及び第２子空洞は挿着コンポーネント１の空洞１１を形成し、つまり、第１絶縁ブロック１３１と第２絶縁ブロック１３２との間の隙間、及び第３絶縁ブロック１４１と第４絶縁ブロック１４２との間の隙間は、挿着コンポーネント１の空洞１１を形成する。
【００３２】
図９〜図１１に示すように、好ましくは、挿着コンポーネント１は、金属仕切りシート１５と、金属リング１６とをさらに備え、金属仕切りシート１５は、第１端子コンポーネント１３と第２端子コンポーネント１４との間に配置され、具体的には、金属仕切りシート１５には位置決め突起１３１１に対応する嵌合孔があり、本実施例では、嵌合孔の数は２つである。挿着コンポーネント１の組み立てる過程で、位置決め突起１３１１が位置決め孔１４１１と嵌合孔に挿入され、金属仕切りシート１５及び第２端子コンポーネント１４が、第１端子コンポーネント１３に対して位置ずれないように位置を規制する。金属仕切りシート１５の左右両側には、接続足１５１が設けられ、金属仕切りシート１５の後部の左右両側には、第２接続耳１５２が外向きに伸びている。第２絶縁ブロック１３２の内面に凹溝１３２２が設けられ、この凹溝１３２２内に第２接続耳１５２が設けられた部分が位置し、第２接続耳１５２は第２絶縁ブロック１３２の側壁の外側に露出するように構成されている。金属リング１６は、第１絶縁ブロック１３１と第３絶縁ブロック１４１の後部の外側を覆い、金属仕切りシート１５の２つ接続足１５１は、金属リング１６に当接し、金属リング１６と金属仕切りシート１５を導通する。第１絶縁ブロック１３１と第３絶縁ブロック１４１の尾部には、いずれもリング状のストッパー部分が外向きに設けられ、金属リング１６はストッパー部分の前部に位置している。
【００３３】
好ましくは、図１０〜図１３に示すように、挿着コンポーネント１は、第１接続ブロック１７と、第２接続ブロック１８とをさらに備え、第１接続ブロック１７は第１絶縁ブロック１３１と第３絶縁ブロック１４１の外側を覆い、主に第１絶縁ブロック１３１と第３絶縁ブロック１４１の左右両側及び前部に成形し、第１絶縁ブロック１３１の前部と、第３絶縁ブロック１４１の前部と、導電端子１２の前部と、第１接続ブロック１７の前部とは、合わせて挿着コンポーネント１の挿入部分を形成する。具体的には、第１接続ブロック１７は、第１絶縁ブロック１３１と第３絶縁ブロック１４１の外側に射出成型されている。成形された後、金属仕切りシート１５の前部両側は、いずれも部分的に第１接続ブロック１７の外側に露出し、金属リング１６の外面は第１接続ブロック１７の外側に露出するように構成されている。該コネクターが対向コネクターに挿着されると、金属仕切りシート１５の両側は、対向コネクターの金属ケース又はロッキング部品に当接することができ、金属リング１６が第１接続ブロック１７より露出した部分は対向コネクターの金属ケースに当接することができる。
【００３４】
第２接続ブロック１８には、第２絶縁ブロック１３２と第４絶縁ブロック１４２とが接続されている。具体的には、挿着コンポーネント１の後部の左右両側に、いずれも接続孔１４２２が設けられ、接続孔１４２２は第２絶縁ブロック１３２と第４絶縁ブロック１４２とを通貫するように構成され、第２接続ブロック１８は、２つの接続ピラー１８２と、第１接続部１８３と、第２接続部１８４とを備え、２つの接続ピラー１８２は、２つの接続孔１４２２内に成形されている。第２絶縁ブロック１３２の外側面には、第１収容スロット１３２１が設けられ、第１接続部１８３は、第２絶縁ブロック１３２の外側に位置し、具体的には第１収容スロット１３２１内に成形され、且つ、第１接続部１８３には、２つの係合突起１８１が設けられ、第１接続部１８３の両端は、それぞれ２つの接続ピラー１８２が第２絶縁ブロック１３２の外側に露出する部分に接続されている。第４絶縁ブロック１４２の外側面には、第２収容スロット１４２１が設けられ、第２接続部１８４は、第４絶縁ブロック１４２の外側に位置し、具体的には第２収容スロット１４２１内に成形され、第２接続部１８４の両端は、それぞれ２つの接続ピラー１８２が第４絶縁ブロック１４２の外側に露出する部分に接続されている。第２接続ブロック１８は、第２絶縁ブロック１３２と第４絶縁ブロック１４２とに射出成型により一体的に成形された。
【００３５】
好ましくは、図１４〜図１７に示すように、該コネクターは、金属挿着カバー４と、シールドケース５と、金属部品６とをさらに備える。金属挿着カバー４は相互に接続された嵌合部４１と、収容部４２とを備え、収容部４２の外径は、嵌合部４１の外径より遥かに大きく、収容部４２は主に対向コネクターが該コネクター内に挿入された部分を収容する。金属挿着カバー４は挿着コンポーネント１の外側に嵌設され、具体的には、嵌合部４１は、第１絶縁ブロック１３１と第３絶縁ブロック１４１の外側に嵌設され、ストッパー部分の前側に位置する。つまり、金属挿着カバー４は空洞１１の前部に位置する。挿着コンポーネント１の前部は金属挿着カバー４の外側に露出し、具体的には、挿着コンポーネント１の挿入部分は金属挿着カバー４の外側に露出するように構成されている。絶縁本体２は金属挿着カバー４の外側を覆い、且つ、絶縁本体２は金属挿着カバー４の前方に突出して設けられており、対向コネクターは金属挿着カバー４に挿入できる。
【００３６】
図１５、図１６及び図１８に示すように、シールドケース５は挿着コンポーネント１の後部の一方側を部分的に覆い、この部分は第１部分で、そのほかは第２部分である。第１部分は第２絶縁ブロック１３２及び金属挿着カバー４の接続部４１の外側を覆い、また、第１部分には、射出成型口５１が設けられており、防水ブロック３を射出成型しやすい。第１部分には、２つ係合突起１８１に対応する係合孔５２が設けられ、係合孔５２は、係合突起１８１に係合して、シールドケース５の位置を規制する。第１部分は絶縁本体２に位置し、第１部分の左右両側には、いずれも第３接続耳５３が伸び、第３接続耳５３は絶縁本体２の外側に伸び、第３接続耳５３は金属仕切りシート１５の第２接続耳１５２に当接する。
【００３７】
第２部分は挿着コンポーネント１の後端部を覆い、且つ、この部分は絶縁本体２の外側に露出するように構成されている。第２部分の両側は第４絶縁ブロック１４２の方向に伸びて第１遮断部５４を形成し、第２部分の後部は第４絶縁ブロック１４２の方向に第２遮断部５５を形成する。シールドケース５は主に擾乱信号を遮断する役割を果たし、導電端子１２の信号伝送の品質を保証することができる。金属部品６は挿着コンポーネント１のシールドケース５から遠い側に覆い、具体的には、第４絶縁ブロック１４２の外側と金属挿着カバー４の嵌合部４１の外側とを覆う。金属部品６は絶縁本体２内に位置し、金属部品６の両端には、第１接続耳６１が設けられ、第１接続耳６１は絶縁本体２の外側に露出し、第１接続耳６１は部分的に第２接続耳１５２の第４絶縁ブロック１４２に近い側に当接する。第１接続耳６１と、第２接続耳１５２と、第３接続耳５３とは、プレスリベットで固定接続されている。第１接続耳６１は貫通孔が設けられることで、このコネクターを外部デバイスに固定しやすくようにする。
【００３８】
好ましくは、図１、図２と図４に示すように、該コネクターは防水リング７をさらに備え、絶縁本体２の前部の外面には、リング状の収容スロット２２が設けられ、具体的には、収容スロット２２は、絶縁本体２の金属挿着カバー４の前方に突出する部分に設けられ、防水リング７は収容スロット２２内に嵌設されている。該防水リング７は、防水のシリカゲルの柔らかいリングであり、防水リング７は該コネクターと対向コネクターとの突き合わせ箇所を封止して、両者間の封止効果を保証することができる。
【００３９】
該コネクターの組み立て過程は、高温射出成型で第１導電端子組の上に第１絶縁ブロック１３１及び第２絶縁ブロック１３２を成形し、第１端子コンポーネント１３を形成することと、第２導電端子組の上に第３絶縁ブロック１４１及び第４絶縁ブロック１４２を成形し、第２端子コンポーネント１４を形成することとを含む。
【００４０】
第１端子コンポーネント１３と第２端子コンポーネント１４との間に金属仕切りシート１５を設け、第１絶縁ブロック１３１及び第３絶縁ブロック１４１に金属リング１６を嵌設する。
【００４１】
高温射出成型で第１絶縁ブロック１３１及び第３絶縁ブロック１４１の上に第１接続ブロック１７を成形し、第２絶縁ブロック１３２及び第４絶縁ブロック１４２の上に第２接続ブロック１８を成形し、挿着コンポーネント１を形成する。
【００４２】
挿着コンポーネント１に金属挿着カバー４と、金属部品６と、シールドケース５とを組み立てる。
【００４３】
高温射出成型で挿着コンポーネント１と、金属挿着カバー４と、金属部品６と、シールドケース５との外側に絶縁本体２を成形する。
【００４４】
高温射出成型で絶縁本体２の収容スロット２２内に防水リング７を成形する。
【００４５】
高温射出成型で挿着コンポーネント１の空洞１１及び絶縁本体２の防水口２１内に防水ゴムブロック３を成形する。
【００４６】
明らかなように、本考案の上記実施例は、本考案を説明するための好ましい実施例にすぎず、本考案はそれに限定されず、当業者にとって、上記説明を基礎に様々な変更及び変化を実施してもよい。ここですべての実施例を列挙する必要がないしできない。本考案の精神と原則内で行われる任意の修正、同等の代替、改良などは、すべて本考案請求の保護範囲内に含まれる。
【符号の説明】
【００４７】
１  挿着コンポーネント
１１  空洞
１２  導電端子
１３  第１端子コンポーネント
１３１  第１絶縁ブロック
１３１１  位置決め突起
１３２  第２絶縁ブロック
１３２１  第１収容スロット
１３２２  凹溝
１４  第２端子コンポーネント
１４１  第３絶縁ブロック
１４１１  位置決め孔
１４２  第４絶縁ブロック
１４２１  第２収容スロット
１４２２  接続孔
１５  金属仕切りシート
１５１  接続足
１５２  第２接続耳
１６  金属リング
１７  第１接続ブロック
１８  第２接続ブロック
１８１  係合突起
１８２  接続ピラー
１８３  第１接続部
１８４  第２接続部
２  絶縁本体
２１  防水口
２２  収容スロット
３  防水ゴムブロック
４  金属挿着カバー
４１  嵌合部
４２  収容部
５  シールドケース
５１  射出成型口
５２  係合孔
５３  第３接続耳
５４  第１遮断部
５５  第２遮断部
６  金属部品
６１  第１接続耳
７  防水リング
【図１】
0003227166.tif 000003
【図２】
0003227166.tif 000004
【図３】
0003227166.tif 000005
【図４】
0003227166.tif 000006
【図５】
0003227166.tif 000007
【図６】
0003227166.tif 000008
【図７】
0003227166.tif 000009
【図８】
0003227166.tif 000010
【図９】
0003227166.tif 000011
【図１０】
0003227166.tif 000012
【図１１】
0003227166.tif 000013
【図１２】
0003227166.tif 000014
【図１３】
0003227166.tif 000015
【図１４】
0003227166.tif 000016
【図１５】
0003227166.tif 000017
【図１６】
0003227166.tif 000018
【図１７】
0003227166.tif 000019
【図１８】
0003227166.tif 000020